(57)【要約】      （修正有）【課題】インテリアデザインとしての創作性を表現できるとともに、製造コストが低い仕切り部材を提供する。【解決手段】リング状の竹材１１を複数連結して固定してなるパネル材と、枠体２とによってなり、該枠体によって囲まれる範囲内に該パネル材を設けて構成する。【選択図】図３
0003114886.tif 000002
【実用新案登録請求の範囲】
【請求項１】
同じか或いは異なる所望の太さの竹材を、同じか或いは異なる所望の厚みのリング状に輪切りにし、該リング状に輪切りにした複数の竹材を規則的或いは不規則的に配列して複数連結して固定してなるパネル材と、該パネル材を枠体の内側に固定したことを特徴とする仕切り部材。
【請求項２】
前記パネル材を構成する複数の竹材が接着剤によって接着されることを特徴とする請求項１に記載の仕切り部材。
【請求項３】
前記仕切り部材が前記パネル材と屏風で構成されることを特徴とする請求項１に記載の仕切り部材。
【考案の詳細な説明】
【技術分野】
【０００１】
この考案は、仕切り部材に関し、特に小物を収納する収納ボックス、又はキャビネットの壁面、トレーの底面、もしくは屏風などに応用できる仕切り部材に関する。
【背景技術】
【０００２】
収納ボックス、もしくはキャビネットの材料には、例えば陶磁器、ガラス、木材、ステンレスなど、数多く挙げることができる。また、収納ボックス、もしくはキャビネットは、物品を収納する効果のみならず、優れたインテリアデザインを施したものは装飾の効果を有する。収納ボックスはアクセサリーや、その他小物を収納するために用いられるが、木材や竹材による収納ボックスは、アンティーックな風格を具え、特にヨーロッパ市場で好評を博している。また、表面に刳り貫き模様を施したものは、特別な風格を有する。
【０００３】
従来の竹材を用いた収納ボックス、キャビネットは、主に枠と仕切り部材とによって構成される。該仕切り部材は竹材を編んで構成し、多数の孔部が形成される。また、仕切り部材は枠内に粘着するか、もしくは線材を利用して枠内に固定する。
【０００４】
また、従来の屏風はほとんどが木材によってなり、二種類の形態に大別することができる。即ち、完全に仕切り、透かして見ることができない形態と、刳り貫き模様を施した形態である。刳り貫き模様を施した木製の屏風Ｈ、通常彫刻を施して刳り貫き模様を形成する。係る形態は製造日数がかかり、製造コストも高くなる。また、今日に至るまでずっと木材のみを屏風の材料としているが、このためインテリアデザインとしての創造性が失われてきている。
【考案の開示】
【考案が解決しようとする課題】
【０００５】
この考案は、インテリアデザインとしての創作性を表現できるとともに、製造コストが低い仕切り部材を提供することを課題とする。
【課題を解決するための手段】
【０００６】
そこで、本考案者は従来の技術に見られる欠点に鑑み鋭意研究を重ねた結果、リング状の竹材を複数連結して固定してなるパネル材と、枠体とによってなり、
該枠体によって囲まれる範囲内に該パネル材を設けて構成する仕切り部材によって課題を解決できる点に着眼し、かかる知見に基づいて本考案を完成させた。
【０００７】
以下、この考案について具体的に説明する。
請求項１に記載する仕切り部材は、同じか或いは異なる所望の太さの竹材を同じか或いは異なる厚みのリング状に輪切りとし、該リング状に輪切りにした複数の竹材を規則的或いは不規則的に配列して複数連結して固定してなるパネル材と、該パネルを内側に固定して成る枠体とによって仕切り材を構成する。
【０００８】
請求項２に記載する仕切り部材は、請求項１における複数の竹材が接着剤によって接着される。
【０００９】
請求項３に記載する仕切り部材は、請求項１における仕切り部材であって、かつ屏風を併用する仕切り部材である。
【考案の効果】
【００１０】
本考案の仕切り部材は、インテリアデザインとしての創作性を表現できるという効果有するとともに、通常竹材として用いることなく廃棄する竹の根の部分も含め、竹の各部分を材料とするため、素材を十分に活用でき、製造コストを低減させることができるという効果を有する。
【考案を実施するための最良の形態】
【００１１】
この考案は、小物を収納する収納ボックス、又はキャビネットの壁面、トレーの底面、もしくは屏風などに応用できる仕切り部材を提供するものであって、ング状の竹材を複数連結して固定してなるパネル材と、枠体とによってなり、
該枠体によって囲まれる範囲内に該パネル材を設けて構成し、インテリアデザインとしての創作性を表現できるとともに、製造コストが低い仕切り部材を提供するという目的を達成した。
係る構成の仕切り部材について、その構造と特徴を詳述するために具体的な実施例を挙げ、以下に説明する。
【実施例】
【００１２】
図１に、この考案による仕切り部材１の構造を開示する。仕切り部材１は、リング状を呈する複数の竹材を接着剤で接着して固定し、複数の刳り貫き状の孔部を具える竹製のパネル材とする。
【００１３】
上述するように、リング状の複数の竹材を粘着してなるパネル材は、その両端縁部を図２に開示するように断面がコの字状を呈する枠体２内に嵌着させる。竹製のパネル材の両端縁部とコの字状の枠体２とは、同様に接着剤で接着し、竹材が分解しないようにする。このように、竹製のパネル材と枠体２とによって、刳り貫き孔を有する仕切り部材１を構成する。
【００１４】
この考案による仕切り部材１は、物品の側壁、底面、仕切り、もしくは装飾部に応用することができる。例えば、図３に仕切り部材１を収納ボックスの側壁に応用した例を開示する。図面によれば、収納ボックスの上下、及びそれぞれの辺には、いずれも枠体２が設けられ、該枠体２で囲まれる範囲内に仕切り部材１を設ける。
【００１５】
図４に、木製のトレイの底面に仕切り部材１を応用した例を開示する。トレイの底面に刳り貫き状の孔が形成され、アンティークな風格を表現することができる。
【００１６】
図５に、キャビネットの側壁に仕切り部材１を応用した例を開示する。好ましくは、キャビネットに十分な構造上の強度を与えるため、キャビネットの底板４を完全な平面を有する板材で構成し、刳り貫き孔は形成しない。
【００１７】
また、この考案による仕切り部材１を、直径がそれぞれ異なる複数のリング状の竹材で構成すると、さらに好ましい視覚的効果が生まれる。図６に開示するように、直径がそれぞれ異なる複数のリング状の竹材でパネル材を構成し、左右、及び下端の三辺を枠体２に嵌着し、上端縁は流線を描くように形成し、さらに仕切り部材１を嵌着した枠体２を蝶番で連結して屏風を構成する。かかる屏風はインテリアデザインとして十分な創意を具えるものである。
【００１８】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１９】
【図１】この考案による仕切り部材の構造を示した説明図である。
【図２】この考案による仕切り部材の断面図である。
【図３】この考案による仕切り部材を応用した収納ボックスの斜視図である。
【図４】この考案による仕切り部材を応用したトレイの斜視図である。
【図５】この考案による仕切り部材を応用したキャビネットの斜視図である。
【図６】この考案による仕切り部材を応用した屏風の正面図である。
【符号の説明】
【００２０】
１        仕切り部材
１１      竹材
２        枠体
３        トレイ
４        底板
【図１】
0003114886.tif 000003
【図２】
0003114886.tif 000004
【図３】
0003114886.tif 000005
【図４】
0003114886.tif 000006
【図５】
0003114886.tif 000007
【図６】
0003114886.tif 000008